(57)【要約】      （修正有）【課題】バンパーケースとプレート部との嵌め合わせを良好とし、プレート部を簡単に交換できる保護ケースを提供する。【解決手段】保護ケースは、携帯用情報装置の側面周囲を覆うバンパーケース１と、バンパーケース１に対しスライド式で着脱可能に設けられるプレート部を備える。プレート部は、スライド方向と平行に形成されたスライド溝部と、小溝部と、スライド方向前方の辺外側に形成された前方突起部と、スライド方向後方の辺内側に形成された後方窪み部を有する。バンパーケース１は、スライド溝部に案内されるスライド突起部１１ａ、１２ａと、小溝部に係合する小突起部１１ｃ、１２ｃと、後方窪み部に係合する後方突起部１４１、１４２と、前方突起部に係合する前方窪み部１３１を有する。【選択図】図１
0003180088.tif 000002
【実用新案登録請求の範囲】
【請求項１】
携帯用情報装置の側面周囲を覆うバンパーケースと、
携帯用情報装置の裏面を覆い、かつ前記バンパーケースに対しスライド式で着脱可能に設けられるプレート部と、を備え、
前記プレート部は、対向する一対の辺部にスライド方向と平行に形成されたスライド溝部と、前記スライド溝終端に隣接して形成された小溝部と、前記スライド方向前方の辺外側に形成された前方突起部と、を有し、
前記バンパーケースは、対向する一対の枠辺部の外側に形成されかつ前記スライド溝部に案内されるスライド突起部と、前記スライド突起部終端に隣接しかつ前記小溝部に係合する小突起部と、前記前方突起部に係合する前方窪み部と、を有する携帯用情報装置の保護ケース。
【請求項２】
前記プレート部は、前記スライド方向後方の辺内側に形成された後方窪み部をさらに有し、
前記バンパーケースは、前記後方窪み部に係合する後方突起部をさらに有する、請求項１に記載の携帯用情報装置の保護ケース。
【請求項３】
前記プレート部のスライド方向前方の辺内側に形成され、かつ前記バンパーケースのスライド方向前方の辺内壁面と当接する前方段差をさらに有する、請求項１または２に記載の携帯用情報装置の保護ケース。
【請求項４】
前記プレート部の前記前方段差が、当該プレート部の角部に渡って形成されている、請求項３に記載の携帯用情報装置の保護ケース。
【請求項５】
前記プレート部は、前記携帯用情報装置の裏面側に対向する凹部をさらに有する、請求項１から４のいずれか１項に記載の携帯用情報装置の保護ケース。
【請求項６】
前記バンパーケースのスライド方向後方の枠辺外側に形成され、かつ前記プレート部のスライド方向後方の辺内壁面と当接する後方段差をさらに有する、請求項１〜５のいずれか１項に記載の携帯用情報装置の保護ケース。
【請求項７】
前記バンパーケースは、ストラップの取り付け孔が形成され、当該取り付け孔を含む部分は、携帯用情報装置側に凹部を形成し、他の箇所よりも厚みが薄い、請求項１〜６のいずれか１項に記載の携帯用情報装置の保護ケース。
【考案の詳細な説明】
【技術分野】
【０００１】
本考案は、携帯用情報装置のケースに関する。
【背景技術】
【０００２】
従来から、携帯用電子機器の保護カバーがある（特許文献１参照）。この保護カバーは、電子機器の損壊を防止し、かつ補助工具を使用することなく取り替え可能なものではある。この保護カバーは、筐体とこの筐体に装着される蓋とからなり、この蓋を筐体にスライドさせて装着可能にしている。この保護カバーでは、筐体と蓋とを係止させるために、筐体には垂直方向に突起状固定部が形成され、蓋にはこの突起状固定部と嵌合する嵌合溝および突起状固定部が形成されている。つまり、これらが一体で係止構造を形成している。
【先行技術文献】
【特許文献】
【０００３】
【特許文献１】実用新案登録第３１７２６８３号公報
【考案の概要】
【考案が解決しようとする課題】
【０００４】
しかしながら、上記特許文献１の保護カバーでは、筐体と蓋とを係止させる上記係止構造が、蓋を筐体にスライドさせる入り口側の１箇所にだけ設けられているため、スライド前方の筐体と蓋とではスライド溝と嵌合縁部との隙間（寸法余裕）が大きくなってしまい、前方部での嵌合の程度が弱く、さらに、スライド方向に直交する幅方向でのぐらつきも生じやすい。また、蓋は大部分が開口しており、電子機器の裏面を完全に保護できる構造ではない。
【０００５】
本考案は、上記実情に鑑みてなされたものであって、その目的は、バンパーケースとプレート部（例えば、裏面側カバー）との嵌め合わせを良好とし、かつプレート部を簡単に交換できる携帯用情報装置の保護ケースを提供することである。
【課題を解決するための手段】
【０００６】
上記課題を解決するため本考案に係る携帯用情報装置の保護ケースは、携帯用情報装置の側面周囲を覆うバンパーケースと、
携帯用情報装置の裏面を覆い、かつ前記バンパーケースに対しスライド式で着脱可能に設けられるプレート部と、を備え、
前記プレート部は、対向する一対の辺部にスライド方向と平行に形成されたスライド溝部と、前記スライド溝終端に隣接して形成された小溝部と、前記スライド方向前方の辺外側に形成された前方突起部と、を有し、
前記バンパーケースは、対向する一対の枠辺部の外側に形成されかつ前記スライド溝部に案内されるスライド突起部と、前記スライド突起部終端に隣接しかつ前記小溝部に係合する小突起部と、前記前方突起部に係合する前方窪み部と、を有する。
【０００７】
この構成によって、バンパーケースとプレート部（例えば、裏面側カバー）との嵌め合わせを３箇所設けて結合を良好にし、かつプレート部を簡単に交換できる。携帯用情報装置をバンパーケースに装着した後で、プレート部をバンパーケースに嵌め込めばよく、ユーザは簡単にプレート部を着脱できる。プレート部はバンパーケースのスライド両側に嵌めこまれているため、外れにくい構造である。また、バンパーケースとプレート部を別体にしたことで、プレート部のみへのデザイン印刷が簡単になり、印刷時にバンパーケースをマスキングする必要がない。また、プレート部が交換可能であることから、バンパーケースとプレート部のデザインを異なる組み合わせにすることが可能となるため、デザインバリエーション性が飛躍的に向上し、さらにプレート部のみの販売も可能になり、購買意欲を向上させる効果も期待できる。
【０００８】
本発明の一実施形態として、バンパーケースをプレート部よりも薄い構造にすることが好ましい。この構造にすることで、バンパーケースを嵌め込み易くなる。
【０００９】
本発明の一実施形態として、バンパーケースにストラップ用の開口部をさらに設けることが好ましい。
【００１０】
本発明の一実施形態として、前記プレート部は、前記スライド方向後方の辺内側に形成された後方窪み部をさらに有し、前記バンパーケースは、前記後方窪み部に係合する後方突起部をさらに有する。
【００１１】
この構成によって、バンパーケースとプレート部（例えば、裏面側カバー）との嵌め合わせをさらに１箇所（合計４箇所）設けて結合をさらに良好にできる。
【００１２】
本発明の一実施形態として、前記プレート部のスライド方向前方の辺内側に形成され、かつ前記バンパーケースのスライド方向前方の辺内壁面と当接する前方段差をさらに有する。
【００１３】
この構成によって、スライド前方部の嵌合精度を向上でき、寸法遊びを極力低減できるため、バンパーケースとプレート部との結合一体性を向上できる。
【００１４】
本発明の一実施形態として、前記プレート部の前記前方段差が、当該プレート部の角部に渡って形成されている。
【００１５】
この構成によって、さらに、スライド前方部の嵌合精度を向上でき、寸法遊びを極力低減できるため、バンパーケースとプレート部との結合一体性を向上できる。
【００１６】
本発明の一実施形態として、前記プレート部は、前記携帯用情報装置の裏面側に対向する凹部をさらに有する。前記凹部は、プレート部のスライド後方の辺からスライド前方の辺の途中まで延びる構成が例示される。
【００１７】
この構成によって、プレート部に形成された凹部にカード（例えば、電子決済カード、ICカードなど）あるいは鏡などを装着（例えば着脱可能に装着）することができる。また、プレート部に凹部を形成することでプレート部の厚みを薄くして軽量化でき、かつ射出成型品の仕上り品質に向上する。
【００１８】
本発明の一実施形態として、前記バンパーケースのスライド方向後方の枠辺外側に形成され、かつ前記プレート部のスライド方向後方の辺内壁面と当接する後方段差をさらに有する。
【００１９】
この構成によって、スライド後方部の嵌合精度を向上でき、寸法遊びを極力低減できるため、バンパーケースとプレート部との結合一体性を向上できる。
【００２０】
本発明の一実施形態として、前記バンパーケースは、ストラップの取り付け孔が形成され、当該取り付け孔を含む部分は、携帯用情報装置側に凹部を形成し、他の箇所よりも厚みが薄い構成である。
【００２１】
この構成によって、バンパーケースのストラップ取り付け孔と携帯情報装置との間に隙間（凹部空間）ができ、ストラップの紐がその隙間に配置されるため、紐の厚みが外側に出ない構造となり、見栄えもよく、かつバンパーケースに余分な応力が生じることもない。
【００２２】  上記発明において、携帯用情報装置は、携帯電話、携帯コンピュータ、スマートフォン、（公序良俗違反につき、不掲載）、（公序良俗違反につき、不掲載）などが例示される。
【図面の簡単な説明】
【００２３】
【図１】実施形態１のバンパーケースの正面、３方向の側面を示す図
【図２】実施形態１のプレート部の正面、３方向の側面を示す図
【図３】実施形態１のプレート部のスライド溝を説明するための一部拡大図
【図４】実施形態１のバンパーケースにプレート部をスライドさせている状態の図
【図５】実施形態１のストラップの取り付け孔を説明する図
【図６】実施形態２のバンパーケースとプレート部の斜視図
【考案を実施するための形態】
【００２４】
（実施形態１）
本考案に係る携帯用情報装置の保護ケースの実施形態１を図面を用いて説明する。図１は、本実施形態の保護ケースのバンパーケース１を示す。図２は、プレート部３を示す。図３は、プレート部３のスライド溝の部分拡大図である。携帯情報装置として、スマートフォンを例にしているがこれに制限されない。
【００２５】
バンパーケース１は、スマートフォン（不図示）の側面周囲を覆う。プレート部３は、スマートフォンの裏面を覆い、かつバンパーケース１に対しスライド式で着脱可能に設けられる。なお、バンパーケース１は、スマートフォン側面を覆うのみならず、その前面の縁を一部覆うために前方カバー部１６が形成されている。
【００２６】
プレート部３は、対向する一対の辺部３３、３４にスライド方向（図４の符号ｘの矢印を参照）と平行に形成されたスライド溝部３３ａ、３４ａと、スライド溝終端（非溝部分）３３１、３４１に隣接して形成された小溝部３３ｂ、３４ｂと、スライド方向前方の辺３５の外側に形成された前方突起部３５１と、スライド方向後方の辺３６の内側に形成された後方窪み部３６１、３６２とを有する。なお、前方突起部３５１は、１つに限定されず、後方窪み部３６１、３６２は２つに限定されない。プレート部３は、スマートフォンの裏面を覆うカバー部３１が形成されている。
【００２７】
バンパーケース１は、対向する一対の枠辺部１１、１２の外側に形成されかつスライド溝部３３ａ、３４ａに案内されるスライド突起部１１ａ、１２ａと、スライド突起部１１ａ、１２ａの終端（非突起部分）１１１、１２１に隣接しかつ小溝部３３ｂ、３４ｂに係合する小突起部１１ｂ、１２ｂを有する。また、バンパーケース１のスライド方向後方の枠辺１４に、プレート部３の後方窪み部３６１、３６２に係合する後方突起部１４１、１４２が形成されている。また、バンパーケース１のスライド方向前方の枠辺１３に、プレート部３の前方突起部３５１に係合する前方窪み部１３１が形成されている。後方突起部１４１、１４２は、２つに限定されず、前方窪み部１３１は１つに限定されない。
【００２８】
また、プレート部３のスライド方向前方の辺３５の内側に形成され、かつバンパーケース１のスライド方向前方の辺内壁面と当接する前方段差３５２が形成されている。この前方段差３５２は、プレート部３の前方２辺の角部に全体に渡って形成されている。
【００２９】
また、バンパーケース１のスライド方向後方の枠辺１４の外側に形成され、かつプレート部３のスライド方向後方の辺内壁面と当接する後方段差１４５が形成されている。
【００３０】
図４は、バンパーケース１にプレート部３をスライドさせている状態を示す。スライド方向ｘに向かって、プレート部３のスライド溝３３ａ、３４ｂにバンパーケース１のスライド突起１１ａ、１２ａが挿入され移動する。バンパーケース１の枠辺１１，１２のスライド前方にストッパ部１１ｃ、１２ｃが形成される。プレート部３の辺３３、３４に、このストッパ部１１ｃ、１２ｃに当接する当接部３３ｃ、３４ｃが形成される。スライド完了時に、バンパーケース１の小突起１１ｂ、１２ｂが、プレート部３の非溝部分３３１、３４１を飛び越え、小溝部３３ｂ、３４ｂに係合する。これと同時に、バンパーケース１の後方突起部１４１、１４２がプレート部３の後方窪み部３６１、３６２に係合し、プレート部３の前方突起部３５１がバンパーケース１の前方窪み部１３１に係合する。さらに、プレート部３の前方段差３５２が、バンパーケース１のスライド方向前方の辺内壁面と当接する。バンパーケース１の後方段差１４５が、プレート部３のスライド方向後方の辺内壁面と当接する。
【００３１】
以上、本実施形態によれば、バンパーケース１とプレート部３との嵌め合わせを良好とし、かつプレート部３を簡単に交換できる。また、スライド方向前方部およびスライド方向後方部の嵌合精度を向上でき、寸法遊びを極力低減できるため、バンパーケース１とプレート部３との結合一体性を向上できる。
【００３２】
また、図１、図５に示すとおり、バンパーケース１には、枠辺１２にストラップの取り付け孔１２５が形成されている。この取り付け孔１２５を含む部分は、スマートフォン側に凹部１２６を形成し、他の箇所１２７よりも厚みが薄い構造である。なお、これらストラップの取り付け孔１２５、凹部１２６は、枠辺１２に設けているが、この位置に限定されず他の枠辺に設けてもよく、その形状も図５に限定されない。
【００３３】
また、バンパーケース１の枠辺１３には、コネクタ開口部１３２、電源ＯＮ・ＯＦＦボタン用開口部１３３が形成されている。また、枠辺１４には電源コネクタ差込口用開口部１４３、マイク用開口部１４６、１４７が形成されている。これら開口部の形状、サイズは、スマートフォンの仕様に対応している。
【００３４】
（別実施形態）
本実施形態１において、プレート部３は、スマートフォンの裏面を覆うカバー部３１が形成され、一部が開口部３２を形成しているが、全体を覆っていてもよい。なお、開口部３２は、スマートフォンの後方カメラレンズが位置するため設けられている。
【００３５】
また、プレート部３の長手方向の一対の辺部３３、３４と平行にスライド方向を設定しているが、他の一対の辺３５、３６に平行にスライド方向を設定することもでき、この場合、お互いが逆の構造を有することになり、辺３５、３６にスライド溝などが形成され、辺３３、３４にスライド突起部などが形成される。プレート部の構造に対応してバンパーケースの構造も変更される。
【００３６】
また、後述する実施形態２のように、プレート部３のカバー部３１に凹部を形成していてもよい。
【００３７】
（実施形態２）
本考案に係る携帯用情報装置の保護ケースの実施形態２を図面を用いて説明する。図６は、本実施形態の保護ケースのバンパーケース６およびプレート部８を示す斜視図である。
【００３８】
プレート部８は、スマートフォンの裏面を覆い、かつバンパーケース６に対しスライド式で着脱可能に設けられる。なお、バンパーケース６は、実施形態１と同様にスマートフォン側面を覆うのみならず、その前面の縁を一部覆うために前方カバー部（不図示）が形成されている。
【００３９】
プレート部８は、実施形態１と同様に、対向する一対の辺部にスライド方向と平行に形成されたスライド溝部と、スライド溝終端（非溝部分）に隣接して形成された小溝部と、スライド方向前方の辺８５の外側に形成された前方突起部を有する。プレート部８は、スマートフォンの裏面を覆うカバー部８１が形成されている。図６に示すように、プレート部８のカバー部８１には、スマートフォンの裏面側に対向する凹部８１ａが形成されている。凹部８１ａは、プレート部８のスライド後方の辺８６からスライド前方の辺８５の途中まで延びる。図６において、開口部８２の手前まで凹部８１ａが伸びている。この凹部８１ａのサイズ、形状は、図６に限定されず、収納される対象によって変更できる。例えば、凹部８１ａにカード（例えば、電子決済カード、ICカードなど）あるいは鏡などを装着（例えば着脱可能に装着）することができる。
【００４０】
バンパーケース６は、実施形態１と同様に、対向する一対の枠辺部の外側に形成されかつスライド溝部に案内されるスライド突起部と、スライド突起部の終端（非突起部分）に隣接しかつ小溝部に係合する小突起部を有する。また、バンパーケース６のスライド方向前方の枠辺に、プレート部８の前方突起部に係合する前方窪み部が形成されている。また、プレート部８のスライド方向前方の辺８５の内側に形成され、かつバンパーケース６のスライド方向前方の辺内壁面と当接する前方段差が形成されている。この前方段差は、プレート部８の前方２辺の角部に全体に渡って形成されている。また、バンパーケース６のスライド方向後方の枠辺の外側に形成され、かつプレート部８のスライド方向後方の辺内壁面と当接する後方段差が形成されている。
【００４１】
また、実施形態１と同様に、ストラップの取り付け孔が形成され、この取り付け孔を含む部分は、スマートフォン側に凹部を形成し、他の箇所よりも厚みが薄い構造である。また、バンパーケース６の一方の枠辺には、コネクタ開口部、電源ＯＮ・ＯＦＦボタン用開口部が形成され、他方の枠辺には電源コネクタ差込口用開口部、マイク用開口部が形成されている。なお、開口部の形状、サイズは、スマートフォンの仕様に対応している。
【符号の説明】
【００４２】
１、６      バンパーケース
３、８      プレート部
１１ａ、１２ａ    スライド突起部
１１ｂ、１２ｂ    小突起部
３３ａ、３４ａ    スライド溝        
３３ｂ、３４ｂ    小溝部            
１３１            前方窪み部
１４１、１４２    後方突起部
３５１            前方突起部
３６１、  ３６２  後方窪み部
【図１】
0003180088.tif 000003
【図２】
0003180088.tif 000004
【図３】
0003180088.tif 000005
【図４】
0003180088.tif 000006
【図５】
0003180088.tif 000007
【図６】
0003180088.tif 000008
【手続補正書】
【提出日】平成24年9月24日(2012.9.24)
【手続補正１】
【補正対象書類名】明細書
【補正対象項目名】００２２
【補正方法】変更
【補正の内容】
【００２２】
上記発明において、携帯用情報装置は、携帯電話、携帯コンピュータ、スマートフォン、タブレット端末などが例示される。